(57)【特許請求の範囲】
【請求項１】
内部に投入口が備えられたキャビネットと、
前記キャビネットの内部に位置し、前記キャビネットに備えられた前記投入口を通じて洗濯物を貯蔵する収容部と、
前記キャビネットに備えられた前記投入口を選択的に開閉させるため、前記キャビネットに連結された少なくとも二つのドアと、
を有し、
前記少なくとも二つのドアの１つは、１つの回転軸を中心に、前記キャビネットに対して少なくとも２つの回転角度まで回転し、
前記少なくとも２つの回転角度は、
洗濯物を前記キャビネット内の前記投入口に案内するガイドとしての面を形成するために、前記少なくとも二つのドアの前記１つが、前記キャビネットに対して傾いて開く第１角度と、
洗濯物をその上に支持する棚としての面を形成するために、前記少なくとも二つのドアの前記１つが、前記キャビネットに対して完全に開く第２角度と、
を有することを特徴とする、衣類処理装置。
【請求項２】
前記少なくとも二つのドアは、回転方向又は最大回転角度のうち少なくとも一方が互いに異なる、請求項１に記載の衣類処理装置。
【請求項３】
前記少なくとも二つのドアは、
第１回転方向及び第１最大回転角度を有する第１ドアと、
前記第１回転方向、及び前記第１最大回転角度と異なる第２最大回転角度を有する第２ドアと、
を有する、請求項２に記載の衣類処理装置。
【請求項４】
前記第１ドアは、前記キャビネットに回転可能に連結され、
前記第２ドアは、前記第１ドアに回転可能に連結される、請求項３に記載の衣類処理装置。
【請求項５】
前記少なくとも二つのドアは、
第１回転方向を有する第１ドアと、
前記第１回転方向と異なる第２回転方向を有する第２ドアと、
を有する、請求項２に記載の衣類処理装置。
【請求項６】
前記第１ドアを前記キャビネットに回転可能に連結させる第１回転軸と、
前記第２ドアを前記第１ドアに回転可能に連結させる第２回転軸と、をさらに有し、
前記第１回転軸と前記第２回転軸は互いに直交する、請求項５に記載の衣類処理装置。
【請求項７】
内部に投入口が備えられたキャビネットと、
前記キャビネットの内部に位置し、前記キャビネットに備えられた前記投入口を通じて洗濯物を貯蔵する収容部と、
前記キャビネットに備えられた前記投入口に対応する第１ドア貫通孔を有し、前記キャビネットに回転可能に連結される第１ドアと、
前記第１ドア貫通孔を選択的に開閉させるために、前記第１ドアに回転可能に連結される第２ドアと、
前記第１ドアの回転時に、前記第１ドアと前記第２ドアが同時に回転するように、前記第２ドアを前記第１ドアに固定させる第２ドアホルダーが備えられたロック部と、
を有し、
前記第２ドアホルダーは、前記第１ドアが前記キャビネット内の前記投入口に対する開放位置に向かい第１方向に回転すると、前記第２ドアに結合し、前記第１ドアが前記キャビネット内の前記投入口に対する閉鎖位置に向かい第２方向に回転すると、前記第２ドアから分離される方向に移動することを特徴とする、衣類処理装置。
【請求項８】
前記第１ドアと前記第２ドアは、回転方向又は最大回転角度のうち少なくとも一方が互いに異なる、請求項７に記載の衣類処理装置。
【請求項９】
前記ロック部は、前記第２ドアが前記キャビネット内の前記投入口に対する開放位置に向かい第１方向に回転すると、前記第１ドアを前記キャビネットに結合させる第１ドアホルダーをさらに含む、請求項７に記載の衣類処理装置。
【請求項１０】
前記第１ドアホルダーは、
前記キャビネットに往復運動可能なように備えられ、前記第１ドアを前記キャビネットに着脱可能に結合させる第１ホルダーと、
前記第２ドアに備えられ、前記第２ドアが前記キャビネット内の前記投入口に対する閉鎖位置に向かい第２方向に回転すると、前記第１ホルダーを前記第１ドアから分離させる方向に移動させる加圧部と、
を含む、請求項９に記載の衣類処理装置。
【請求項１１】
内部に投入口が備えられたキャビネットと、
前記キャビネットの内部に位置し、前記キャビネットに備えられた前記投入口を通じて洗濯物を貯蔵する収容部と、
前記キャビネットに備えられた前記投入口と連通して内部に備えられた第１ドア貫通孔を有し、前記キャビネットに回転可能に連結される第１ドアと、
前記第１ドア貫通孔を選択的に開閉させるために、前記第１ドアに回転可能に連結される第２ドアと、
前記第１ドアの内部に備えられ、前記キャビネットの底面と平行に配置される第１ドア回転軸と、前記キャビネットに固定される第１端と前記第１ドア回転軸に固定される第２端とを有する回転軸サポーターとを備える第１ドアヒンジと、
前記第１ドアの回転角度を調節する角度調節部と、
を有し、
前記角度調節部は、
前記回転軸サポーター又は前記第１ドア回転軸の一方に備えられる調節部と、
前記第１ドアの内部に備えられ、前記調節部に着脱可能に結合されて、前記第１ドアの前記回転角度を調節する着脱部と、
を含むことを特徴とする、衣類処理装置。
【請求項１２】
内部に投入口が備えられたキャビネットと、
前記キャビネットの内部に位置し、前記キャビネットに備えられた前記投入口を通じて洗濯物を貯蔵する収容部と、
前記キャビネットに備えられた前記投入口と連通して内部に備えられた第１ドア貫通孔を有し、前記キャビネットに回転可能に連結される第１ドアと、
前記第１ドア貫通孔を選択的に開閉させるために、前記第１ドアに回転可能に連結される第２ドアと、
第１ドアヒンジと、
前記第１ドアの回転角度を調節する角度調節部と、
を有し、
前記第１ドアヒンジは、
前記キャビネットに固定されるキャビネット固定部と、
前記第１ドアに固定されるドア固定部と、
前記キャビネット固定部に備えられるベースプレートと、
前記ベースプレートに回転可能に連結される第１リンクと、
前記第１リンクに回転可能に連結される第１端と前記ドア固定部に回転可能に連結される第２端とを有する第２リンクと、
前記第１リンクに回転可能に連結される第１端と前記ドア固定部に回転可能に連結される第２端とを有する第３リンクと、
前記ベースプレートに結合される第１端と前記第２リンクに結合される第２端とを有するバネと、
を有し、
前記角度調節部は、前記第２リンクに回転可能に連結される第１端と前記ベースプレートに回転可能に連結される第２端とを有する調節部リンクと、前記ベースプレートに備えられて、前記調節部リンクに着脱可能に結合される着脱部とを含むことを特徴とする、衣類処理装置。
【請求項１３】
前記着脱部は、
前記ベースプレートによって支持される着脱部ボディーと、
前記着脱部ボディーに備えられる円板形状の第１固定突起と、
前記第１固定突起の一面に備えられる第２固定突起と、
を有し、
前記調節部リンクは、
前記第２固定突起が収容される第１溝と、
前記第１溝と所定距離離隔して備えられ、前記第１固定突起が収容される第２溝と、
前記第２溝と所定距離離隔して備えられ、前記第１固定突起が収容される第３溝と、
を含む、請求項１２に記載の衣類処理装置。
【請求項１４】
内部に投入口が備えられたキャビネットと、
前記キャビネットの内部に位置し、前記キャビネットに備えられた前記投入口を通じて洗濯物を貯蔵する収容部と、
前記キャビネットに備えられた前記投入口を選択的に開閉するために、前記キャビネットに回転可能に連結される第１ドアと、
前記第１ドアの内部に備えられ、前記キャビネットの底面と平行に配置される第１ドア回転軸と、前記キャビネットに固定される第１端と前記第１ドア回転軸に固定される第２端を有する回転軸サポーターとを備える第１ドアヒンジと、
前記第１ドアの回転角度を調節する角度調節部と、
を有し、
前記角度調節部は、
前記回転軸サポーター又は前記第１ドア回転軸の一方に備えられる調節部と、
前記調節部に着脱可能に結合され、前記第１ドアの前記回転角度を調節する着脱部と、
を含むことを特徴とする、衣類処理装置。
【請求項１５】
内部に投入口が備えられたキャビネットと、
前記キャビネットの内部に位置し、前記キャビネットに備えられた前記投入口を通じて洗濯物を貯蔵する収容部と、
前記キャビネットに備えられた前記投入口を選択的に開閉させるために、前記キャビネットに回転可能に連結される第１ドアと、
第１ドアヒンジと、
前記第１ドアの回転角度を調節する角度調節部と、
を有し、
前記第１ドアヒンジは、
前記キャビネットに固定されるキャビネット固定部と、
前記第１ドアに固定されるドア固定部と、
前記キャビネット固定部に備えられるベースプレートと、
前記ベースプレートに回転可能に連結される第１リンクと、
前記第１リンクに回転可能に連結される第１端と前記ドア固定部に回転可能に連結される第２端とを有する第２リンクと、
前記第１リンクに回転可能に連結される第１端と前記ドア固定部に回転可能に連結される第２端とを有する第３リンクと、
前記ベースプレートに固定される第１端と前記第２リンクに固定される第２端とを有するバネと、
を有し、
前記角度調節部は、
前記第２リンクに回転可能に連結される第１端と前記ベースプレートに回転可能に連結される第２端とを有する調節部リンクと、
前記ベースプレートに備えられて、前記調節部リンクに着脱可能に結合される着脱部と、を含むことを特徴とする、衣類処理装置。
【請求項１６】
前記着脱部は、
前記ベースプレートによって支持される着脱部ボディーと、
前記着脱部ボディーに備えられる円板形状の第１固定突起と、
前記第１固定突起の一面に備えられる第２固定突起と、
を有し、
前記調節部リンクは、
前記第２固定突起が収容される第１溝と、
前記第１溝と所定距離離隔して備えられ、前記第１固定突起が収容される第２溝と、
前記第２溝と所定距離離隔して備えられ、前記第１固定突起が収容される第３溝と、
を含む、請求項１５に記載の衣類処理装置。
【発明の詳細な説明】
【技術分野】
【０００１】
本発明は、洗濯対象の洗濯、乾燥、洗濯及び乾燥が可能な衣類処理装置に関する。
【背景技術】
【０００２】
衣類処理装置は、洗濯物を洗濯する洗濯機、洗濯物を乾燥させる乾燥器、洗濯物の洗濯及び乾燥が可能な乾燥兼用洗濯機を含む概念であって、従来の衣類処理装置は、外観を形成するキャビネットと、キャビネットの内部に位置し、洗濯物が貯蔵される収容部と、キャビネットに備えられ、収容部に洗濯物が投入される投入口と、投入口を開閉可能なように備えられるドアと、を含む。
【０００３】
トップローディング方式の衣類処理装置は、収容部がキャビネットの底面に対して垂直な方向に備えられているので、ドアがキャビネットの上部面に位置し、フロントローディング方式の衣類処理装置は、収容部がキャビネットの底面に対して水平方向に備えられているので、ドアがキャビネットの前方面に備えられた。フロントローディング方式の衣類処理装置は、ドアの回転角度（投入口の開放程度）を調節できなかった。また、ドアは、洗濯物を収容部に投入したり、収容部から取り出す時に、使用者が腰を曲げなければならない位置に備えられた。
【発明の概要】
【発明が解決しようとする課題】
【０００４】
したがって、本発明は、上述した従来技術の限界を克服するための衣類処理装置に関する。
【０００５】
本発明は、上述した問題点を解決するためのもので、洗濯物の投入及び取り出しが容易な衣類処理装置を提供することを解決課題とする。
【０００６】
すなわち、本発明は、投入口の開放程度を調節することができるドアを通じて、洗濯物が収容部に投入されることを案内する衣類処理装置を提供することを解決課題とする。
【０００７】
また、本発明は、洗濯物を収容部から取り出す時に、洗濯物を支持する棚として機能することができるドアが備えられた衣類処理装置を提供することを解決課題とする。
【０００８】
さらに、本発明は、回転方向が異なる少なくとも二つのドアが備えられた衣類処理装置を提供することを解決課題とする。
【０００９】
また、本発明は、最大回転角度が互いに異なる少なくとも二つのドアが備えられた衣類処理装置を提供することを解決課題とする。
【００１０】
また、本発明は、回転方向の変更及び回転角度の調節が可能な一つのドアが備えられた衣類処理装置を提供することを解決課題とする。
【課題を解決するための手段】
【００１１】
上述した課題の解決のために、本発明は、外観を形成し、洗濯物が投入される投入口が備えられたキャビネットと、前記キャビネットの内部に位置し、前記投入口を通じて流入される洗濯物が貯蔵される収容部と、前記投入口を開閉させる少なくとも二つのドアと、を含む衣類処理装置を提供する。
【００１２】
また、本発明は、外観を形成し、洗濯物が投入される投入口が備えられたキャビネットと、前記キャビネットの内部に位置し、前記投入口を通じて流入される洗濯物が貯蔵される収容部と、前記投入口に対応する第１ドア貫通孔を含み、前記キャビネットに回転可能に固定される第１ドアと、前記第１ドアに回転可能に固定されて、前記第１ドア貫通孔を開閉させる第２ドアと、前記第１ドアの回転時に、前記第２ドアを前記第１ドアに固定させる第２ドアホルダーが備えられたロック部と、を含む衣類処理装置を提供する。
【００１３】
また、本発明は、外観を形成し、洗濯物が投入される投入口が備えられたキャビネットと、前記キャビネットの内部に位置し、前記投入口を通じて流入される洗濯物が貯蔵される収容部と、前記投入口と連通する第１ドア貫通孔を含み、前記キャビネットに回転可能に固定される第１ドアと、前記第１ドアに回転可能に固定されて、前記第１ドア貫通孔を開閉させる第２ドアと、前記第１ドアの回転角度を調節する角度調節部と、を含む衣類処理装置を提供する。
【００１４】
また、本発明は、外観を形成し、洗濯物が投入される投入口が備えられたキャビネットと、前記キャビネットの内部に位置し、前記投入口を通じて流入される洗濯物が貯蔵される収容部と、前記キャビネットに回転可能なように備えられて、前記投入口を開閉させる第１ドアと、前記第１ドアの回転角度を調節する角度調節部と、を含む衣類処理装置を提供する。
【発明の効果】
【００１５】
本発明は、洗濯物の投入及び取り出しが容易な衣類処理装置を提供する効果がある。
【００１６】
本発明は、投入口の開放程度を調節することができるドアを通じて、洗濯物が収容部に投入されることを案内する衣類処理装置を提供する効果がある。
【００１７】
本発明は、洗濯物を収容部から取り出す時に、洗濯物を支持する棚として機能することができるドアが備えられた衣類処理装置を提供する効果がある。
【００１８】
本発明は、回転方向が異なる少なくとも二つのドアが備えられた衣類処理装置を提供する効果がある。
【００１９】
本発明は、最大回転角度が互いに異なる少なくとも二つのドアが備えられた衣類処理装置を提供する効果がある。
【００２０】
本発明は、回転方向の変更及び回転角度の調節が可能な一つのドアが備えられた衣類処理装置を提供する効果がある。
【図面の簡単な説明】
【００２１】
【図１】回転角度の調節が可能なドアが備えられた衣類処理装置を示す図である。
【図２】回転角度の調節が可能なドアが備えられた衣類処理装置を示す図である。
【図３】回転角度の調節が可能なドアが備えられた衣類処理装置を示す図である。
【図４】回転方向は同一であるが、最大回転角度が互いに異なる二つのドアが備えられた衣類処理装置を示す図である。
【図５】回転方向は同一であるが、最大回転角度が互いに異なる二つのドアが備えられた衣類処理装置を示す図である。
【図６】回転方向は同一であるが、最大回転角度が互いに異なる二つのドアが備えられた衣類処理装置を示す図である。
【図７】回転方向が異なる二つのドアが備えられた衣類処理装置の一例を示す図である。
【図８】回転方向が異なる二つのドアが備えられた衣類処理装置の一例を示す図である。
【図９】回転方向が異なる二つのドアが備えられた衣類処理装置の一例を示す図である。
【図１０】回転方向が異なる二つのドアが備えられた衣類処理装置の他の実施例を示す図である。
【図１１】図１０の衣類処理装置に備えられたドアの斜視図及び分解斜視図である。
【図１２】図１０の衣類処理装置に備えられたドアの斜視図及び分解斜視図である。
【図１３】第１ドアヒンジを示す図である。
【図１４】第１ドアヒンジを示す図である。
【図１５】第１ドアを支持するドア支持突起を示す図である。
【図１６】ヒンジカバーを示す図である。
【図１７】第１ドアヒンジの他の実施例を示す図である。
【図１８】第１ドアヒンジの更に他の実施例を示す図である。
【図１９】第１ドアヒンジの更に他の実施例を示す図である。
【図２０】第１ドアヒンジの更に他の実施例を示す図である。
【図２１】第１ドアヒンジの更に他の実施例を示す図である。
【図２２】第１ドアヒンジの更に他の実施例を示す図である。
【図２３】第１ドアヒンジの更に他の実施例を示す図である。
【図２４】第２ドアホルダーを示す図である。
【図２５】第２ドアホルダーを示す図である。
【図２６】第２ドアホルダーを示す図である。
【図２７】第１ドアホルダーを示す図である。
【図２８】第１ドアホルダーを示す図である。
【発明を実施するための形態】
【００２２】
本発明の衣類処理装置１００は、外観を形成し、投入口１１が備えられたキャビネット１と、キャビネットの内部に位置し、洗濯物（洗濯対象及び／又は乾燥対象）が貯蔵される収容部Ｓと、投入口１１を選択的に開閉するドア３と、を含む。
【００２３】
図１乃至図３に示されたように、投入口１１は、キャビネット１の前方面に備えてもよく、キャビネット１の上部面に備えてもよい。以下では、説明の便宜のために、投入口１１がキャビネット１の前方面に備えられた場合を基準に説明する。
【００２４】
衣類処理装置１００が乾燥のみを目的とする場合であれば、収容部Ｓは、キャビネット１の内部に回転可能に備えられるドラムのみを含むことができる。しかし、衣類処理装置１００が洗濯機能も行うことができる場合であれば、収容部Ｒは、キャビネットの内部に備えられ、洗濯水が貯水されるタブと、タブの内部に回転可能なように備えられるドラムとを含まなければならない。
【００２５】
衣類処理装置１００は、収容部Ｓの内部に位置した洗濯物を処理（洗濯、乾燥など）するための処理手段をさらに含むことができる。処理手段は、ドラムを回転させる駆動部（図示せず）、タブに水を給水する給水部（図示せず）、タブに貯水された水をタブの外部に排出させる排水部（図示せず）を一例とすることができる。さらに、処理手段（図示せず）は、収容部Ｓに貯蔵された洗濯物に加熱された空気を供給して洗濯物を乾燥させる熱風供給部（図示せず）、及び洗濯物にスチームを供給して洗濯物の臭いやシワを除去したり、収容部Ｓに貯水された水を加熱したりするスチーム供給部（図示せず）を制御するように備えることができる。
【００２６】
一方、ドアが、キャビネット１の底面に対して垂直な方向に形成された回転軸を通じてキャビネットの左右方向に回転して、投入口１１を開放する場合、使用者は、洗濯物を収容部Ｓから取り出したり、収容部Ｓに投入する時、腰を曲げなければならないという不便さがあった。図１乃至図３に示されたドア３８は、キャビネット１の底面と並行する回転軸Ｈを基準に回転し、回転角度の調節が可能であることが特徴である。すなわち、本発明の衣類処理装置１００に備えられたドア３８は、回転軸Ｈを基準に回転し、少なくとも二つの回転角度で回転できるので、投入口１１の開放程度を調節できることが特徴である。
【００２７】
一方、本発明の衣類処理装置のドアは、上述した機能を具現できる限り、多様な個数で備えることができる。すなわち、本発明の衣類処理装置は、図１乃至図３に示されたように、一つのドアのみを含んでもよく、図４乃至図１０に示されたように、少なくとも二つ以上のドアを含むこともできる。
【００２８】
ドア３８（第１ドア）には、使用者が衣類処理装置１００の外部から収容部Ｓの内部を確認できるようにする透明板３９５をさらに含むことができる。ドア３８は、少なくとも二つの回転角度を有することができる。図２は、ドア３８が投入口１１から第１角度Ａ１（洗濯物を投入口に案内する角度）だけ回転した場合を示しており、図３は、ドア３８が投入口１１から第２角度Ａ２（洗濯物が流動しないように支持する角度）で回転した場合を示している。
【００２９】
さらに、本発明の衣類処理装置１００には、ドア３８が投入口１１から第１角度及び第２角度だけ回転した状態を維持させる手段をさらに含むことができる。ドア３８が投入口１１から第１角度及び第２角度だけ回転した状態を維持させる手段は、ドア３８に備えられる固定装置、固定装置が結合可能なようにキャビネット１に備えられる収容装置を一例とすることができる。
【００３０】
この場合、固定装置は、バー（ｂａｒ）、ワイヤー、またはバネ（弾性部材）のような部材を通じてドア３８に固定され、収容装置は、固定装置を収容できるようにキャビネット１に少なくとも二つを備えることができる。したがって、固定装置が収容装置に結合することによって、ドア３８の回転角度が調節及び維持され得る。
【００３１】
一方、ドア３８が投入口１１から第１角度又は第２角度だけ回転した状態を維持させる手段は、第１ドアヒンジによって具現することもできる。
【００３２】
図２に示されたように、ドア３８が、キャビネットの底面に対して並列する回転軸Ｈを基準に回転して、投入口１１から第１角度だけ回転した状態を維持すると、使用者は腰を曲げることなく洗濯物を収容部Ｓに投入することができる効果がある。すなわち、使用者が、投入口１１と第１角度Ａ１だけ回転したドア３８との間の空間に洗濯物を位置させるだけで、洗濯物はドア３８に沿って投入口１１方向に移動するので、使用者は、腰を曲げずに洗濯物を収容部Ｓに供給できるようになる。
【００３３】
一方、第１角度Ａ１は、衣類処理装置の種類や設置環境によって適切に変形することができる。例えば、ドア３８が投入口１１を閉鎖した場合のドアの回転角度を０度と定義する時、第１角度Ａ１は３０度〜６０度の角度に設定することができる。ドア３８の回転角度が３０度よりも小さいと、ドア３８と投入口１１との間の空間が狭いため、洗濯物を収容部Ｓに供給するのに困難があり、ドア３８の回転角度が６０度よりも大きいと、ドア３８と投入口１１との間の空間に供給された洗濯物が、投入口１１に向かって容易に移動できない可能性があるためである。但し、必要に応じて、第１角度Ａ１は、２０度〜５０度の範囲の角度、又は、その外の角度に設定してもよい。
【００３４】
図３に示されたように、ドア３８が、投入口１１から第２角度Ａ２だけ回転した状態を維持すると、使用者は、洗濯物を収容部Ｓから取り出す時に、ドア３８を棚として活用できるようになる。この場合、第２角度Ａ２は第１角度Ａ１よりも大きく設定されるので、使用者は、収容部Ｓから取り出した洗濯物をドア３８に置いておくことができる。
【００３５】
第２角度Ａ２は、衣類処理装置の種類や設置環境によって多様に設定することができる。例えば、第２角度Ａ２は、６０度〜９０度の角度に設定することができる。第２角度が６０度よりも小さい場合、洗濯物が投入口１１に向かって移動する可能性があり、第２角度が９０度よりも大きい場合、洗濯物がドアに支持されずに床面に落ちる可能性があるためである。
【００３６】
一方、本発明の衣類処理装置１００は、少なくとも二つ以上のドアを含むこともできる。この場合、各ドアは、回転方向または最大回転角度のうち少なくともいずれか一方が異なるように備えることができる。図４乃至図６は、回転方向は同一であるが、最大回転角度が互いに異なる二つのドアが備えられた衣類処理装置を示し、図７乃至図９は、回転方向が互いに異なる二つのドアが備えられた衣類処理装置を示している。
【００３７】
図４乃至図６に示された衣類処理装置１００は、キャビネット１に回転可能に備えられる第２ドア３９と、第２ドア３９に回転可能に備えられる第１ドア３８とを含む。第２ドア３９は、キャビネット１の底面と並行する回転軸Ｈ２（図６参照）によって回転し、投入口１１に連通する第２ドア貫通孔３９３（図５参照）を含むことができる。第１ドア３８は、第２ドア貫通孔３９３を開閉できるように第２ドア３９に回転可能に固定され、第１ドア３８は、第２ドアの回転軸Ｈ２と平行な回転軸Ｈ１（図５参照）によって回転し、使用者が衣類処理装置の外部から収容部Ｓの内部を観察できるようにする透明板３９５をさらに含むことができる。第１ドアの回転軸Ｈ１が第２ドアの回転軸Ｈ２（図５参照）と平行に備えられることは、第２ドアが第１ドアと同一の回転方向を有するようにするためである。
【００３８】
第１ドア３８が回転すると、第２ドア貫通孔３９３が開放されるので、投入口１１が外部に露出される。第１ドア３８は第２ドアに固定されているので、第２ドア３９が回転しても投入口１１は外部に露出される。したがって、使用者は、第１ドアと第２ドアのいずれを回転させても、投入口１１を開放することができる。
【００３９】
一方、第２ドア３９は、洗濯物を収容部Ｓから取り出す時に洗濯物を支持することができる角度Ａ２（第２角度）を最大回転角度として有し、第１ドア３８は、洗濯物を収容部Ｓに供給する時に洗濯物が投入口１１に移動することを案内する角度Ａ１（第１角度）を最大回転角度として有することができる。
【００４０】
すなわち、第２ドア３９の最大回転角度は６０度〜９０度の範囲で設定し、第１ドア３８の最大回転角度は３０度〜６０度の範囲（または２０度〜５０度の範囲）で設定することができる。
【００４１】
但し、上述した第１ドアと第２ドアの最大回転角度は一例に過ぎず、上述した角度以外の角度に設定してもよい。
【００４２】
図４乃至図６は、第２ドア３９がキャビネットに回転可能に固定され、第２ドアの回転角度よりも小さい回転角度を有する第１ドア３８が第２ドア３９に回転可能に固定された場合を示しているが、第１ドア３８がキャビネットに回転可能に固定され、第２ドア３９は第１ドアに回転可能なように固定されてもよい。この場合、第２ドア３９の大きさは第１ドア３８の大きさよりも小さくなるため、洗濯物を支持するための空間が小さくなるという短所が生じうる。
【００４３】
さらに、本発明の衣類処理装置１００は、第１ドア３８が投入口１１から一定の回転角度を維持できるようにする手段（第１ドアヒンジなど）をさらに含むことができ、詳細な説明は後述する。
【００４４】
図７乃至図９は、本発明の衣類処理装置１００の他の実施例を示すもので、本実施例に係る衣類処理装置１００は、回転方向が異なる少なくとも二つのドアを含むことが特徴である。
【００４５】
図７乃至図９に示されたように、ドア３は、キャビネット１の底面と並行する（平行な）回転軸Ｈを有する第１ドア３８と、キャビネットの底面に対して垂直な方向に備えられた回転軸Ｖを有する第２ドア３９とを含む。この場合、第２ドア３９は、キャビネットに回転可能なように固定し、第１ドア３８は、第２ドア３９に回転可能なように固定することができる。したがって、第１ドア３８が回転すると、第２ドア貫通孔３９３が開放されるので、投入口１１は外部に露出される。一方、第１ドア３８は第２ドアに固定されているので、第２ドア３９が回転しても投入口１１は外部に露出される。したがって、使用者は、第１ドアと第２ドアのいずれを回転させても投入口１１を開放できるので、洗濯物の投入及び取り出しが可能である。
【００４６】
第１ドア３８は、洗濯物を投入口１１に案内する角度、及び収容部Ｓから洗濯物を取り出す時に洗濯物を支持することができる角度で回転できるように備え、第２ドア３９は、収容部Ｓから洗濯物を容易に取り出すことができる回転角度で回転するように備えることが好ましい。
【００４７】
例えば、第１ドア３８は、第１角度Ａ１（３０度〜６０度、又は、２０度〜５０度）及び第２角度Ａ２（６０度〜９０度）で回転された状態を維持することができ、第２ドア３９は、第２角度Ａ２よりも大きい角度で回転することができる。
【００４８】
但し、第１ドアの回転角度及び第２ドアの回転角度は一例に過ぎず、上述した角度範囲以外の角度に各ドアの回転角度を設定してもよい。
【００４９】
本発明の衣類処理装置１００は、第１ドア３８が投入口１１から一定の回転角度（第１角度又は第２角度）を維持できるようにする手段（第１ドアヒンジなど）をさらに含むことができ、詳細な説明は後述する。
【００５０】
図１０に示されたように、ドア３は、キャビネット１に回転可能に固定された第１ドア３８と、第１ドア３８に回転可能に固定された第２ドア３９とを含むことができる。この場合、第１ドア３８は、キャビネットの底面に対して並列方向に形成された回転軸Ｈを基準に回転し、第２ドア３９は、キャビネットの底面に対して垂直方向に形成された回転軸Ｖを基準に回転することができる。
【００５１】
少なくとも二つのドア３が備えられた衣類処理装置１００の場合、各ドアには各ドアの開閉を容易にするドアハンドルをさらに含むことができる。第１ドア３８は第１ドアハンドル３８７を含み、第２ドア３９は第２ドアハンドル３９７を含むことができる。この場合、第１ドアハンドル３８７と第２ドアハンドル３９７は互いに異なる位置に備えることが好ましい。
【００５２】
例えば、第１ドアハンドル３８７は、キャビネット１の底面と並列する方向またはキャビネットの底面と垂直な方向のずれかの方向に備え、第２ドアハンドル３９７は、キャビネットの底面と並列する方向またはキャビネットの底面と垂直な方向のうち残りの一つの方向に備えることができる。これは、第１ドアハンドルと第２ドアハンドルの位置を区分することによって、使用者が、開放したいドアを容易に区分できるようにするためである。
【００５３】
図１０は、第１ドアハンドル３８７は、キャビネット１の底面と並列する方向に第１ドア３８に備えられ、第２ドアハンドル３９７は、キャビネット１の底面と垂直な方向に第２ドア３９に備えられた場合を一例として示している。第１ドアハンドル３８７と第２ドアハンドル３９７を各ドア３８，３９の回転軸と並列するように形成することが、各ドアを回転させるのに便利であるためである。
【００５４】
第１ドアハンドル３８７と第２ドアハンドル３９７の個数は多様に設定することができる。図１０は、第１ドアハンドル３８７と第２ドアハンドル３９７が２個ずつ備えられた場合を示しているが、第１ドアハンドル３８７は第１ドアに一つのみ備え、第２ドアハンドル３９７は第２ドアに一つのみ備えてもよい。但し、第２ドアハンドル３９７が第２ドア３９の両側面に備えられると、第２ドアの回転方向を異なるように設定する時に、第２ドアの構造を変更する必要がないという効果がある。
【００５５】
第２ドア３９の回転方向は、使用者の選択によって設定することができる。すなわち、図１０は、第２ドア３９が第１ドア３８の右側方向に回転して投入口１１を開放する方式であるが、必要に応じて、第２ドア３９は、第１ドア３８の左側方向に回転して投入口１１を開放するように備えてもよい。したがって、第２ドア３９の両側面に第２ドアハンドル３９７を備える場合、第２ドア３９の回転方向をどの方向に設定しても、第２ドアハンドル３９７を通じて第２ドア３９を回転させることができる効果がある。
【００５６】
以下では、第１ドア３８の回転及び回転角度の調節のための手段、第２ドア３９の回転を可能にする手段について説明する。
【００５７】
図１乃至図３の衣類処理装置１００は、第１ドア３８の回転及び回転角度を調節するための第１ドアヒンジ８を必要とするが、図４乃至図１０の衣類処理装置は、第１ドアの回転及び回転角度を調節するための第１ドアヒンジ８と、第２ドアを回転させる第２ドアヒンジ９とを必要とする。
【００５８】
図１の衣類処理装置は、第１ドアヒンジ８を第１ドア３８とキャビネット１との間に備えなければならない。図４及び図７の衣類処理装置の場合、第１ドアヒンジ８は第１ドア３８と第２ドア３９との間に備え、第２ドアヒンジ９は第２ドア３９とキャビネット１との間に備えなければならない。また、図１０の衣類処理装置の場合、第１ドアヒンジ８は第１ドア３８とキャビネット１との間に備え、第２ドアヒンジ９は第２ドア３９と第１ドア３８との間に備えなければならない。
【００５９】
以下では、説明の便宜のために、図１０の衣類処理装置１００を基準に第１ドアヒンジ８及び第２ドアヒンジ９の構造を説明する。
【００６０】
図１１に示されたように、本実施例に係るドア３は、投入口１１に対応する第１ドア貫通孔３８５を備え、キャビネット１に回転可能に固定される第１ドア３８と、第１ドアに回転可能に固定され、第１ドア貫通孔３８５を開閉させる第２ドア３９とを含む。
【００６１】
第１ドア３８は、外観を形成する第１ドアフレーム３８１と、第１ドアフレーム３８１に固定される第１ドアカバー３８３とを含むことができる。この場合、第１ドア貫通孔３８５は、第１ドアフレーム３８１を貫通するフレーム貫通孔３８５１と、第１ドアカバー３８３を貫通するカバー貫通孔３８５３とを含むことができる。
【００６２】
また、第１ドアカバー３８３には、キャビネット１の底面に対して並行する方向またはキャビネットの底面に対して垂直な方向のいずれかの方向に形成された第１ドアハンドル３８７を備えることができる。図１０は、キャビネットの底面に対して並列する（水平）方向に第１ドアハンドルが備えられた場合を示している。
【００６３】
一方、第２ドア３９は、外観を形成する第２ドアフレーム３９１と、第２ドアフレーム３９１の対向する両端のうち少なくともいずれか一方に備えられる第２ドアハンドル３９７と、第２ドアフレーム３９１を貫通して備えられる第２ドア貫通孔３９３と、を含む。第２ドア貫通孔３９３には透明板３９５をさらに備えることができる。
【００６４】
第２ドア３９は、第２ドアヒンジ９によって第１ドア３８に固定される。第２ドアヒンジ９は、図１０に示されたように、第１ドア３８に固定される第１ドア固定板９１と、第２ドア３９に固定される第２ドア固定板９５と、第１ドア固定板９１と第２ドア固定板９５を回転可能に結合させ、キャビネット１の底面に対して垂直な方向に備えられる第２ドア回転軸９３と、を含むことができる。
【００６５】
但し、上述した第２ドアヒンジ９の構造は一例に過ぎず、第２ドアヒンジ９は、第２ドア３９を回転させることができる限り、様々な形態に変形してもよい。
【００６６】
図１２及び図１３に示されたように、第１ドアヒンジ８は、第１ドアフレーム３８１と第１ドアカバー３８３との間に位置し、キャビネット１の底面と並列する第１ドア回転軸８１と、一端はキャビネット１に固定され、他端は第１ドア回転軸８１に結合される回転軸サポーター８３と、を含む。第１ドア回転軸８１は、第１ドア３８が回転できるように第１ドア３８に結合され得る。したがって、第１ドア３８は、第１ドア回転軸８１を中心に回転できるようになる。
【００６７】
一方、第１ドアヒンジ８は、使用者が投入口１１を開放させる時には第１ドア３８が徐々に回転するようにし、使用者が投入口１１を閉鎖させる時には小さな力でも第１ドア３８を回転させることができるようにするドア弾性支持部８２をさらに含むことができる。ドア弾性支持部８２は、上述した機能を具現できる限り、様々な形態を有することができる。図１３は、ドア弾性支持部がねじりバネ（ｔｏｒｓｉｏｎ  ｓｐｒｉｎｇ）である場合を一例として示している。
【００６８】
この場合、ねじりバネは、第１ドア回転軸８１の外周面を覆うように備えられ、一端は第１ドア３８に固定し、他端は回転軸サポーター８３に固定することができる。そのために、回転軸サポーター８３には、ねじりバネの一端が挿入されるバネ固定孔８３５を備え、第１ドア３８には、ねじりバネの他端を固定させる手段（ヒンジカバー８６など）を備えることができる。
【００６９】
さらに、本発明の衣類処理装置１００は、第１ドア３８の回転角度を調節する角度調節部Ｆをさらに含むことができる。角度調節部Ｆは、回転軸サポーター８３または第１ドア回転軸８１に備えられる調節部８４と、第１ドア３８に備えられ、調節部８４に着脱される着脱部８５と、を含むことができる。図１３は、回転軸サポーター８３に備えられた調節部８４、及び第１ドア３８に備えられ、調節部８４に着脱される着脱部８５を一例として示している。図１７は、第１ドア回転軸８１に備えられた調節部８４、及び第１ドアに備えられ、調節部に着脱される着脱部８５を一例として示している。
【００７０】
図１３の場合、調節部８４は、回転軸サポーター８３の外周面が凹状に窪んだ多数の溝として備えられた場合を示しているが、調節部８４は、回転軸サポーター８３の外周面から突出した多数の突起として備えられてもよい。
【００７１】
但し、調節部８４が、回転軸サポーター８３の外周面から突出した突起形状からなる場合、着脱部８５は、第１ドア３８の回転時に、回転軸サポーター８３に備えられた多数の突起のうちいずれか一つを収容することができる溝の形態を取らなければならない。
【００７２】
調節部８４は、回転軸サポーター８３の外周面が凹状に窪んだ第１溝８４１と、第１溝と所定距離離隔して備えられる第２溝８４３とを含むことができる。第１溝８４１は、第１ドア３８が投入口１１を閉鎖した場合に着脱部８５が結合する位置に備え、第２溝８４３は、第１溝８４１と第１角度（３０度〜６０度、又は、２０度〜５０度）離隔した位置に備えることができる。
【００７３】
着脱部８５は、第１ドア３８の内部に位置し、第１溝８４１または第２溝８４３に挿入される着脱部ボディー８５１と、一端は着脱部ボディー８５１に固定され、他端は第１ドア３８に固定されるボディー弾性支持部８５３とを含むことができる。
【００７４】
以下では、図１４を参照して、調節部８４と着脱部８５が第１ドア３８の回転角度を調節する過程について説明する。
【００７５】
第１ドア３８が投入口１１を閉鎖する場合に、着脱部ボディー８５１は第１溝８４１に位置するので、外力の入力がない状態で第１ドア３８が回転することを防止する。
【００７６】
しかし、使用者が第１ドアハンドル３８７を通じて第１ドア３８に外力を入力すると、第１ドア３８は第１ドア回転軸８１を中心に回転する。着脱部ボディー８５１はボディー弾性支持部８５３を通じて第１ドア３８に弾性支持されるので、第１ドア３８の回転時、着脱部ボディー８５１は、調節部８４の第１溝８４１から第２溝８４３に移動するようになる。
【００７７】
第２溝８４３に着脱部ボディー８５１が挿入されると、第１ドア３８は、図１４Ａに示されたように、キャビネット１から第１角度Ａ１だけ回転した状態を維持するようになる。したがって、第１ドア３８は、洗濯物を収容部Ｓに投入する時、洗濯物を投入口１１に案内する機能を行うことができるようになる。
【００７８】
一方、使用者が第１ドア３８に外力をさらに入力すると、第１ドア３８は、図１４Ｂと図１４Ｃに示されたように、キャビネット１から第２角度Ａ２（６０度〜９０度）だけ回転するようになる。
【００７９】
第１ドア３８が第２角度Ａ２だけ回転すると、使用者は、収容部Ｓから取り出した洗濯物を第１ドアに置いておくことができるので、洗濯物の取り出し時に、第１ドア３８を棚として活用できるようになる。そのために、回転軸サポーター８３は、第１ドア３８が第２角度だけ回転した場合に第１ドア３８を支持することができる構造を有するようにすることができる。
【００８０】
すなわち、回転軸サポーター８３は、第１ドア３８が第２角度だけ回転した時、第１ドア３８がそれ以上回転することを防止する第１ストッパー８３２を含み、第１ドア３８は、第１ドアが第２角度だけ回転した時に第１ストッパーに接触する第２ストッパー８３４を含むことができる。
【００８１】
第１ドア３８がキャビネット１から第２角度回転した状態は、ドア弾性支持部８２を通じて具現することもできる。ドア弾性支持部８２は、引張バネ（ｔｅｎｓｉｏｎ  ｓｐｒｉｎｇ）又はねじりバネ（ｔｏｒｓｉｏｎ  ｓｐｒｉｎｇ）であってもよい。ドア弾性支持部８２が引張バネである場合、第１ドア３８が第２角度だけ回転した時に、引張バネがそれ以上伸びないように構成すると、第１ドア３８が第２角度だけ回転した状態を維持させることができる。ドア弾性支持部８２がねじりバネである場合、第１ドア３８が第２角度だけ回転した時に、ねじりバネの内周面が第１ドア回転軸８１の外周面に接触するように構成すると、第１ドア３８が第２角度だけ回転した状態を維持させることができる。
【００８２】
図１５に示されたように、第１ドア３８がキャビネット１から第２角度Ａ２だけ回転した状態は、キャビネット１に備えられるドア支持突起１３及び第１ドアカバー３８３に備えられる支持突起収容溝３８３５を通じて具現することもできる。ドア支持突起１３は、第１ドア３８が第２角度Ａ２だけ回転した時に第１ドア３８に接触して、第１ドア３８が第２角度を超えて回転することを防止し、支持突起収容溝３８３５は、第１ドア３８が投入口１１を閉鎖した場合、ドア支持突起１３が収容される空間である。
【００８３】
さらに、第１ドアヒンジ８に備えられるドア弾性支持部８２は、第１ドア３８を第１角度と第２角度との間で固定できる弾性力を提供することができる（図１４Ｂ参照）。これを通じて、第１ドア３８は、キャビネット１から第３角度Ａ３だけ回転した状態を維持できるようになる効果がある（図１４Ｃ参照）。
【００８４】
第１ドアヒンジ８は、第１ドア回転軸８１を第１ドアフレーム３８１に固定させるヒンジカバー８６をさらに含むことができる。但し、ドア弾性支持部８２がねじりバネである場合には、ヒンジカバー８６は、第１ドア回転軸８１及びドア弾性支持部８２を第１ドアフレーム３８１に固定させることができるように備えられてもよい。
【００８５】
図１６に示されたように、ヒンジカバー８６は、ボルトのような固定部材が貫通する固定部材貫通孔８６１と、第１ドアフレーム３８１に結合するリブ８６３とを含む。リブ８６３は、第１ドアフレーム３８１の下部に位置したスリット３８１５に挿入されるように備えられる。これは、ヒンジカバー８６の組み立てを容易にするだけでなく、第１ドア回転軸８１を第１ドアフレーム３８１に堅固に固定させるためである。
【００８６】
ヒンジカバー８６の内部には、第１ドア回転軸８１、ドア弾性支持部８２以外に多数の部材が位置するため、固定部材貫通孔８６１の位置は、第１ドア回転軸８１などの位置によって制限されざるを得ない。このような状況で、リブ８６３は、ヒンジカバー８６の内部に位置した構成と干渉しないながら、ヒンジカバー８６の内部に位置した構成を第１ドアフレーム３８１に堅固に固定させる手段となる。
【００８７】
図１３に示されたように、第１ドアヒンジ８にヒンジカバー８６が備えられる場合、ドア弾性支持部８２は、ヒンジカバー８６に備えられたバネホルダー８６２を通じて第１ドアに固定することができ、着脱部８５に備えられたボディー弾性支持部８５３も、ヒンジカバー８６を通じて第１ドア３８に固定することができる。
【００８８】
図１７は、第１ドアヒンジ８の他の実施例を示す。図１３に示された第１ドアヒンジ８は、調節部８４が回転軸サポーター８３の外周面に備えられるため、回転軸サポーター８３の厚さが薄いと、着脱部８５に十分な結合力を提供できないという問題が生じうる。反面、図１７に示された調節部８４は、第１ドア回転軸８１に備えられ、回転軸サポーター８３と分離されて備えられる調節板ボディー８４５を含む。
【００８９】
調節板ボディー８４５の外周面には、凹状に窪んだ第１溝８４６と、第１溝から所定距離離隔して備えられる第２溝８４７とが備えられる。
【００９０】
一方、調節板ボディー８４５の厚さｔ２は、回転軸サポーター８３の厚さｔ１よりも厚くすることが好ましい。但し、図１７に示されたものとは異なり、調節板ボディー８４５の厚さは、第１溝８４６と第２溝８４７が形成される部分の厚さのみを回転軸サポーター８３の厚さよりも厚くしてもよい。
【００９１】
また、調節板ボディー８４５には、ドア弾性支持部８２の一端が固定されるバネ固定孔８４８をさらに備えることができる。したがって、ドア弾性支持部８２は、回転軸サポーター８３に備えられたバネ固定孔８３５と調節板ボディー８４５に備えられたバネ固定孔８４８のうち少なくともいずれか一方に挿入されることによって、第１ドア回転軸８１に固定され得る。
【００９２】
着脱部８７は、第１ドア３８の内部に位置し、第１溝８４６や第２溝８４７に挿入される着脱部ボディー８７１と、一端は第１ドア３８に固定され、他端は着脱部ボディー８７１に固定されるボディー弾性支持部８７３と、を含むことができる。
【００９３】
したがって、着脱部ボディー８７１が第１溝８４６に挿入されると、第１ドア３８は投入口１１を閉鎖させた状態を維持し、着脱部ボディー８７１が第２溝８４７に挿入されると、第１ドア３８は第１角度で回転された状態を維持することができる。
【００９４】
また、第１ドア３８は、回転軸サポーター８３やドア弾性支持部８２を通じて第２角度で回転された状態を維持することができ、ドア弾性支持部８２の弾性力を通じて、第１ドア３８は第１角度と第２角度との間の角度と定義される第３角度だけ回転された状態を維持することもできる。第１ドア３８が第２角度及び第３角度だけ回転された状態を維持するための回転軸サポーター８３、ドア弾性支持部８２の特徴は、上記で説明したので、詳細な説明は省略する。
【００９５】
図１８及び図１９は、上述した第１ドアヒンジ８の他の実施例を示す。本実施例に係る第１ドアヒンジ８は、第１ドア３８がキャビネット１の底面に対して並列する回転軸を中心に回転する時、第１ドア３８の下部とキャビネット１とが干渉することを防止することが特徴である。本実施例に係るキャビネット１は、外観を形成するアウタキャビネット１ａと、アウタキャビネットと所定距離離隔して備えられるインナキャビネット１ｂとを含む。この場合、第１ドアヒンジ８は、インナキャビネット１ｂに固定されるキャビネット固定部８１１と、第１ドア３８に固定されるドア固定部８１２と、キャビネット固定部８１１からアウタキャビネット１ａに向かって突出するベースプレート８１３と、第１ドア３８をベースプレート８１３に回転可能に固定させるリンク部８１５，８１６，８１７と、を含む。リンク部は、ベースプレート８１３に回転可能に固定される第１リンク８１５と、第１リンク８１５に回転可能に固定され、一端はドア固定部８１２に固定された第２リンク８１６と、一端は第１リンク８１５に固定され、他端はドア固定部８１２に固定された第３リンク８１７と、を含む。一方、第２リンク８１６の自由端（ｆｒｅｅ  ｅｎｄ）は、板バネ８１４（ｓｐｉｒａｌ  ｓｐｒｉｎｇ）によって支持される。板バネ８１４は、ベースプレート８１３に備えられたバネ固定軸８１３５に巻き取られ、一端は第２リンク８１６の自由端に固定される。
【００９６】
したがって、第１ドア３８に投入口１１を開放させる外力が入力されると（図１９参照）、ベースプレート８１３に結合された第１リンク８１５は時計方向に回転し、第１リンク８１５に固定された第２リンク８１６及び第３リンク８１７はインナキャビネット１ｂから離れる方向に移動するようになる。第２リンク８１６と第３リンク８１７がインナキャビネット１ｂから離れる方向に移動すると、第２リンク８１６と第３リンク８１７に固定された第１ドア３８は、アウタキャビネット１ａから離れる方向に移動するので、第１ドア３８の下端がアウタキャビネット１ａに干渉することが防止される。
【００９７】
このような効果は、アウタキャビネット１ａにドア３が収容されるドア収容部１７が備えられた場合より有用な効果がある。すなわち、ドア３が収容されるドア収容部１７がアウタキャビネット１ａに備えられた場合、ドア３の厚さによって、第１ドア３８の回転時に、ドア３の下端がドア収容部１７と干渉する可能性があるが、本実施例による第１ドアヒンジ８は、このような問題を解決することができる。
【００９８】
さらに、本実施例による第１ドアヒンジ８は、第１ドア３８の回転角度を調節するための角度調節部Ｆをさらに備えることができる。角度調節部Ｆは、ベースプレート８１３と第２リンク８１６とを連結する調節部リンク８１８と、ベースプレート８１３に備えられ、調節部リンク８１８に結合する着脱部８１９とを含むことができる。
【００９９】
図２０Ａ乃至図２０Ｃに示されたように、調節部リンク８１８は、バー（ｂａｒ）形状を有することができる。調節部リンク８１８の一端は、ベースプレート８１３に回転可能に固定され、調節部リンク８１８の他端は、第２リンク８１６に回転可能に固定される。この場合、ベースプレート８１３に固定される調節部リンク８１８の一端は、キャビネット固定部８１１と第１リンク８１５との間に位置することが好ましい。
【０１００】
また、調節部リンク８１８は、凹状に窪んだ第１溝８１８１と、第１溝と所定距離離隔して備えられ、第１溝より大きい直径を有する第２溝８１８２と、第２溝と所定距離離隔して備えられ、第２溝と同一の直径を有する第３溝８１８３と、を含む。
【０１０１】
一方、着脱部８１９は、着脱部ボディー８１９１と、一端はベースプレート８１３に固定され、他端は着脱部ボディー８１９１に固定される弾性支持部８１９４と、を含む。そのために、ベースプレート８１３には、弾性支持部８１９４が固定されるバネ固定突起８１３１をさらに備えることができる。
【０１０２】
着脱部ボディー８１９１には円板（ｄｉｓｋ）形状を有する第１固定突起８１９２が備えられ、第１固定突起８１９２の一面には第２突起８１９３が備えられる。第２固定突起８１９３は、第１溝８１８１に着脱可能な大きさで形成され、第１固定突起８１９２は第２溝８１８２及び第３溝８１８３に着脱可能な大きさで形成されることが好ましい。第１ドア３８が投入口１１を閉鎖した場合、第２固定突起８１９３は調節部リンク８１８の第１溝８１８１に挿入されるので、第１ドア３８に外力が入力されない限り、第１ドア３８が投入口１１を開放する方向に回転することが防止される。
【０１０３】
一方、第１ドア３８に外力が入力されて、第１ドア３８が投入口１１を開放する方向に回転すると、調節部リンク８１８は時計方向に回転する。調節部リンク８１８が時計方向に回転すると、第２固定突起８１９３は第１溝８１８１から分離されるが、第１固定突起８１９２は第２溝８１８２に挿入される。したがって、第１ドア３８は、第１角度（３０度〜６０度、又は、２０度〜５０度）だけ回転した状態が維持されるので、洗濯物が収容部Ｓに供給されることを案内できるようになる。
【０１０４】
第１角度だけ回転した第１ドア３８に外力がさらに入力されると、調節部リンク８１８は時計方向にさらに回転するようになり、第１固定突起８１９２は第３溝８１８３に挿入される。第１固定突起８１９２が第３溝８１８３に挿入されると、第１ドア３８は、図１９に示されたように、第２角度（６０度〜９０度）だけ回転した状態を維持するようになる。したがって、第１ドア３８は、洗濯物を収容部Ｓから取り出す時、洗濯物が支持される棚として機能できるようになる。
【０１０５】
一方、着脱部８１９は、ベースプレート８１３に結合されるベース固定突起８１９５をさらに含むことができる。この場合、ベースプレート８１３は、ベース固定突起８１９５が収容される固定突起収容溝８１３３（図１９参照）をさらに含むことができる。この場合、ベース固定突起８１９５は、第１固定突起８１９２の一面から突出するように形成することができ、固定突起収容溝８１３３は、図１９に示されたように、ベースプレート８１３を切開して形成することができる。
【０１０６】
図２１及び図２２は、第１ドアヒンジ８の更に他の実施例を示す。本実施例に係るドア３は一つのみ備えてもよいが、キャビネット１に回転可能に備えられる第１ドア３８及び第１ドアに回転可能に備えられる第２ドア３９を含むこともできる。図２２に示されたように、ドア３が第１ドアと第２ドアを含む場合、第１ドア３８には、投入口１１と対応する第１ドア貫通孔３８５が備えられ、第２ドア３９は第１ドア貫通孔３８５を開閉するように備えられる。したがって、使用者は、第１ドア３８を通じても投入口１１を開放することができ、第２ドア３９を通じても投入口１１を開放できるようになる。
【０１０７】
さらに、第１ドア３８と第２ドア３９は、回転方向及び最大回転角度のうち少なくともいずれか一方が異なるように備えることができる。例えば、第１ドア３８と第２ドア３９は互いに平行な回転軸を有するようにし、第１ドア３８の最大回転角度を第２ドアの最大回転角度よりさらに大きくすることができる。さらに、第１ドア３８と第２ドア３９は互いに異なる回転方向を有するようにしてもよい。この場合、第１ドア３８は、キャビネット１の底面に並列するように備えられた回転軸を基準に回転し、第２ドア３９は、キャビネット１の底面と直角を形成する回転軸を基準に回転するように備えられることが好ましい。
【０１０８】
そのために、本実施例に係る衣類処理装置は、第１ドア３８をキャビネット１に固定させる第１ドアヒンジ８と、第２ドア３９を第１ドア３８に固定させる第２ドアヒンジ９と、を含む。第２ドアヒンジ９は、第２ドア３９がキャビネット１の底面と直角を形成する回転軸を基準に回転できる限り、様々な形態を有することができ、図１０に示された形態を一例とすることができるので、詳細な説明は省略する。
【０１０９】
第１ドアヒンジ８は、キャビネット１に固定されるキャビネット固定部８２１と、第１ドア３８に固定されるドア固定部８２５と、ドア固定部８２５とキャビネット固定部８２１を回転可能に結合し、キャビネット１の底面と平行する第１ドア回転軸８２３と、を含む。キャビネット固定部８２１は、キャビネット１に固定されるキャビネット固定板８２１１と、キャビネット固定板８２１１に備えられ、第１ドア回転軸８２３が固定される軸固定リブ８２１３と、を含む。ドア固定部８２５は、第１ドア３８を固定する手段であって、円柱形状を有することができる。この場合、第１ドア回転軸８２３は、ドア固定部８２５の一端から突出するように備えることができる。
【０１１０】
さらに、本実施例に係る衣類処理装置は、第１ドア３８の回転角度の調節のための角度調節部Ｆをさらに含むことができる。角度調節部Ｆは、キャビネット１に備えられるガイダー８２７と、一端はドア固定部８２５に固定され、他端はガイダー８２７に結合するコネクタ８２９と、を含む。コネクタ８２９は、バー（ｂａｒ）形状を有するコネクタボディー８２９１と、コネクタボディー８２９１に備えられて、ガイダー８２７に結合するコネクタ突起８２９２と、を含む。
【０１１１】
コネクタボディー８２９１は、コネクタ固定部８２８を通じてドア固定部８２５に回転可能に固定することができる。この場合、コネクタ固定部８２８は、ドア固定部８２５に結合する固定部ボディー８２８１と、固定部ボディー８２８１とコネクタボディー８２９１とを結合させるコネクタ連結軸８２８２と、を含むことができる。
【０１１２】
ガイダー８２７は、キャビネット１に固定されるガイダーボディー８２７１と、ガイダーボディー８２７１が窪む第１ガイド溝８２７２、第２ガイド溝８２７４、第３ガイド溝８２７６を含む。第１ガイド溝８２７２、第２ガイド溝８２７４、及び第３ガイド溝８２７６は互いに連結され、コネクタボディー８２９１に備えられたコネクタ突起８２９２の移動を案内する。
【０１１３】
第２ガイド溝８２７４は、キャビネット１の高さ方向に沿って備えられ、最下端に第２安着部８２７５が形成される。第２ガイド溝８２７４は、下部に向かうほど第１ドア３８に向かって曲がった形状を有することができる。第２ガイド溝８２７４が第１ドア３８に向かって曲がった形状を有することは、第１ドア３８が容易に回転できるようにするためである。
【０１１４】
第３ガイド溝８２７６は、第２ガイド溝８２７４の上端から第１ドア３８に向かって延びる。一方、第１ガイド溝８２７２は、第３ガイド溝８２７６と第２ガイド溝８２７４を連結するように備えられ、第１安着部８２７３を通じて第２ガイド溝８２７４と区分される。ガイド突起８２７７は、第１ガイド溝８２７２及び第３ガイド溝８２７６の幅を調節して、コネクタ突起８２９２の移動を案内する手段である。第１ドア３８が投入口１１を閉鎖した場合、コネクタ突起８２９２はＳ３に位置する。使用者が第１ドア３８に外力を入力すると、第１ドア３８は第１ドア回転軸８２３を基準に回転し、この場合、コネクタ突起８２９２は、ガイド突起８２７７の案内を受けて、第３ガイド溝８２７６から第１ガイド溝８２７２に進入する。
【０１１５】
第１ガイド溝８２７２に進入したコネクタ突起８２９２は、第１安着部８２７３によって支持され、コネクタ突起８２９２がＳ１に位置すると、第１ドア３８は、第１角度（３０度〜６０度、又は、２０度〜５０度）だけ回転した状態が維持される。したがって、第１ドア３８は、洗濯物を投入口１１に案内できるようになる。
【０１１６】
一方、使用者が第１ドア３８をキャビネット１方向に押すと、コネクタ突起８２９２は、第１安着部８２７３から分離された後、ドアの自重によって第２ガイド溝８２７４に進入する。コネクタ突起８２９２が第２ガイド溝８２７４に進入すると、第１ドア３８は、コネクタ突起８２９２が第２安着部８２７５に支持されるまで（コネクタ突起がＳ２に位置するまで）回転する。コネクタ突起８２９２がＳ２に位置すると、第１ドア３８は、第２角度（６０度〜９０度）だけ回転した状態が維持される。したがって、第１ドア３８は、収容部Ｓから取り出された洗濯物を支持する棚として機能できるようになる。
【０１１７】
第１角度だけ回転した第１ドア３８を第２角度まで回転させずに第１ドア３８を閉じたい場合、使用者は、第１ドア３８をキャビネット１方向に向かって押して、コネクタ突起８２９２をＳ１からＳ３に移動させればよい。
【０１１８】
一方、第２角度だけ回転した第１ドア３８を回転させて投入口１１を閉鎖させるためには、第１ドア３８をキャビネット方向に押して、Ｓ２に位置したコネクタ突起８２９２をＳ３に移動させればよい。
【０１１９】
図２３に示されたように、第１ドア３８を第１角度だけ回転させる時、コネクタ突起８２９２は、Ｄ１経路を通じてＳ３の位置からＳ１の位置に移動せずに、Ｄ２経路を通じてＳ３からＳ１に移動したり、Ｄ３経路を通じてＳ３からＳ２に向かって移動したりする可能性がある。このような問題を解決するために、コネクタボディー８２９１には、第１ドア３８が投入口１１を閉鎖した場合に、コネクタ固定部８２８と接触してコネクタボディー８２９１の位置を一時的に固定させる位置固定突起８２９３をさらに含むことができる。
【０１２０】
位置固定突起８２９３は、コネクタボディー８２９１の一端から突出するように備えることができる。第１ドア３８が投入口１１を閉鎖していると、固定部ボディー８２８１と干渉し、第１ドア３８が回転を開始すると、固定部ボディー８２８１と干渉しない。したがって、第１ドア３８が回転を開始すると、コネクタボディー８２９１の位置は臨時に固定され、コネクタボディー８２９１に備えられたコネクタ突起８２９２はガイド突起８２７７の案内を受けるようになるので、Ｄ１経路を通じてＳ３からＳ１の位置に移動するようになる。固定部ボディー８２８１は、コネクタボディー８２９１の位置固定突起８２９３と干渉し、且つ位置固定突起８２９３を弾性支持するコネクタ弾性支持部８２８３をさらに含むこともできる。
【０１２１】
一方、上述したガイダーボディー８２７１は、図２２に示されたように別途の構成として備えることもできるが、キャビネット１の内周面に形成されたガイド溝とガイド突起で構成されてもよい。
【０１２２】
上述した図１３の第１ドアヒンジ８、図１７の第１ドアヒンジ８、図１８の第１ドアヒンジ８は、少なくとも二つのドアが備えられた衣類処理装置に備えられる場合を基準に説明したが、第１ドアヒンジ８は、図１のように、一つのドアが備えられた場合にも適用することができる。
【０１２３】
さらに、上述した角度調節部は、角度調節部が第１ドアの回転角度を調節する場合を基準に説明したが、角度調節部は、第２ドアの角度を調節するように備えられてもよい。
【０１２４】
上述した本発明の衣類処理装置において、少なくとも二つのドアが備えられる場合、使用者は二つのドアのいずれによっても投入口１１を開放させることができるので、二つのドアのいずれか一方を回転させる時、他方のドアは回転しないようにする手段が必要である。
【０１２５】
以下では、第１ドア３８の回転時に、第２ドア３９が回転することを防止し、第２ドア３９の回転時に、第１ドア３８が回転することを防止するロック部について説明する。
【０１２６】
図２４及び図２７に示されたように、ロック部は、第１ドア３８の回転時、第２ドア３９が第１ドア３８から分離されることを防止する第２ドアホルダー４５と、第２ドア３９の回転時、第１ドア３８がキャビネット１から分離されることを防止する第１ドアホルダー４７と、を含むことができる。図２４は、第２ドアホルダー４５を示したもので、第２ドアホルダー４５は、第１ドア３８が投入口１１を開放する方向に回転すると、第２ドア３９に結合する方向に移動し、第１ドア３８が投入口１１を閉鎖させる方向に回転すると、第２ドア３９から分離される方向に移動することが特徴である。
【０１２７】
そのために、第２ドアホルダー４５は、第１ドア３８と第２ドア３９との間に位置して、第２ドア３９に着脱される第２ホルダー４５３と、第１ドア３８の表面に位置して、第２ホルダー４５３の移動を案内する第２ホルダー収容部４５１と、一端は第２ホルダー４５３に固定され、他端は第２ホルダー収容部４５１に固定されて第２ホルダー４５３を弾性支持する第２ホルダー支持部４５５と、キャビネット１に備えられて、第２ホルダー４５３を移動させるホルダー加圧部４５６と、を含む。
【０１２８】
第２ホルダー収容部４５１は、第１ドア３８の表面と並行するように備えられる収容部ボディー４５１１と、収容部ボディー４５１１を貫通する貫通孔４５１３と、第２ホルダー４５３が収容される空間を形成するように収容部ボディー４５１１の背面に備えられるガイドリブ４５１５と、収容部ボディー４５１１を第１ドア３８に固定させる固定手段が挿入される締結孔４５１６と、を含む。
【０１２９】
この場合、第１ドア３８には、締結孔４５１６と対応する位置に締結孔３８６をさらに備えることが好ましい。
【０１３０】
一方、第２ホルダー４５３は、ガイドリブ４５１５によって形成された空間に収容されて、第２ホルダー収容部４５１の内部で往復運動可能な第２ホルダーボディー４５３１と、第２ホルダーボディー４５３１から突出して、貫通孔４５１３に挿入されるフック４５３３，４５３５と、第２ホルダーボディー４５３１に備えられ、第１ドア３８に向かって突出したホルダー突起４５３７と、を含む。
【０１３１】
この場合、第１ドア３８には、ホルダー突起４５３７が貫通するホルダー突起貫通孔３８２をさらに備えることが好ましい。さらに、第１ドア３８に備えられた締結孔３８６とホルダー突起貫通孔３８２は、第１ドア貫通孔３８５を挟んで第１ドア３８の対向する両端に備えることが好ましい。
【０１３２】
特に、第１ドアに備えられた締結孔３８６は、第２ドアヒンジ９に備えられた締結孔９１１と同一の位置に備えることが好ましい。これは、必要に応じて、第２ドアヒンジ９と第２ドアホルダー４５の位置を変更できるようにするためである。
【０１３３】
第２ドアヒンジ９を図２４の左側に備えると、第２ドア３９は第１ドア３８の左側を基準に回転し、第２ドアヒンジ９を図２４の右側に備えると、第２ドア３９は第１ドア３８の右側を基準に回転できるので、必要に応じて第２ドア３９の回転方向を転換できるという効果がある。
【０１３４】
第２ホルダー４５３に備えられるフックは、第２ドア３９に備えられたフック収容部３９８（図２５参照）に着脱可能な手段であって、第１フック４５３３及び第２フック４５３５を含むことができる。第１フック４５３３と第２フック４５３５は、第２ホルダーボディー４５３１から貫通孔４５１３に向かって延びた後、折れ曲がった形状を有することができる。収容部ボディー４５１１に備えられた貫通孔４５１３は、第１フック４５３３及び第２フック４５３５が流動可能な空間を提供するだけでなく、第１フックと第２フックの移動を案内できるように備えることが好ましい。
【０１３５】
ホルダー加圧部４５６は、キャビネット１に固定される固定板４５６１と、第１ドア３８のホルダー突起貫通孔３８２に挿入されるように固定板４５６１から突出して備えられる加圧突起４５６３と、を含むことができる。第１ドア３８が投入口１１を閉鎖する方向に回転する場合、加圧突起４５６３は、ホルダー突起貫通孔３８２に挿入されるホルダー突起４５３７を加圧する手段である。ホルダー突起４５３７と加圧突起４５６３との結合を容易にするために、加圧突起４５６３とホルダー突起４５３７のうち少なくともいずれか一方は、傾斜面を含むことが好ましい。
【０１３６】
第２ホルダー支持部４５５は、バネのような部材であってもよく、一端は第２ホルダーボディー４５３１に固定され、他端はガイドリブ４５１５に固定され得る。
【０１３７】
以下では、図２５を参照して、上述した第２ドアホルダー４５の作動過程について説明する。
【０１３８】
第１ドア３８が投入口１１を閉鎖した状態で、第２ホルダー４５３に備えられたホルダー突起４５３７は、第１ドア３８のホルダー突起貫通孔３８２に挿入されて、ホルダー加圧部４５６の加圧突起４５６３によって支持される。この場合、第１フック４５３３及び第２フック４５３５は、第２ドア３９に備えられたフック収容部３９８に挿入されるので、第２ドア３９は、第１ドア３８に固定された状態が維持される。
【０１３９】
第１ドア３８に外力が入力されて時計方向に回転すると、第１ドア３８に備えられた第２ドアホルダー４５３も時計方向に回転するので、ホルダー突起４５３７は加圧突起４５６３から分離される。ホルダー突起４５７３が加圧突起４５６３から分離されると、第２ホルダーボディー４５３１は第２ホルダー支持部４５５によって第１ドア３８の下部方向に移動する。第２ホルダー支持部４５５が第１ドアの下部方向に移動すると、第１フック４５３３と第２フック４５３５が第２ドア３９のフック収容部３９８に堅固に結合されるので、第１ドア３８の回転中に第２ドア３９が回転することが防止される。
【０１４０】
一方、第１ドア３８が投入口１１を閉鎖すると、ホルダー突起４５３７は加圧突起４５６３によって第１ドア３８の上部方向に移動し、第１フック４５３３と第２フック４５３５はフック収容部３９８から分離される方向に移動するようになる。
【０１４１】
しかし、第１フック４５３３と第２フック４５３５は、第１ドア３８が投入口１１を完全に閉鎖した場合にも、第２ドア３９のフック収容部３９８から完全に分離されないように備えることが好ましい。これは、第２ドア３９が外力なしに回転されることを防止するためである。
【０１４２】
但し、第２ドア３９に外力が入力される場合、第１フック４５３３及び第２フック４５３５がフック収容部３９８から容易に分離され得るように、第１フック４５３３と第２フック４５３５は傾斜面を含むことができる。
【０１４３】
図２６は、第２ドアホルダー４５の他の実施例を示すもので、本実施例に係る第２ドアホルダー４５は、重りを用いて第２ドア３９と第１ドア３８を結合させることが特徴である。
【０１４４】
本実施例に係る第２ドアホルダー４５は、第２ドア３９の内部に位置する第２ホルダー４５７と、一端は第２ホルダー４５７に結合し、他端は重り４５８１が固定されるリンク４５８と、リンク４５８を回転可能に支持する回転軸４５９と、を含む。第２ホルダー４５７は、第２ドア３９の内部で往復運動する第２ホルダーボディー４５７１と、第２ホルダーボディーに備えられて、第１ドア３８に備えられたフック収容部３９８に着脱される第１フック４５７３及び第２フック４５７５とを含む。
【０１４５】
第１ドア３８を時計方向に回転させると、第１ドア３８に固定された第２ドア３９も時計方向に回転し、第２ドアの内部に位置した重り４５８１は、回転軸４５９を中心に反時計方向に回転する。重り４５８１が反時計方向に回転すると、第２ホルダー４５７は第２ドア３９の下部方向に移動するので、第１フック４５７３と第２フック４５７５は、第１ドア３８のフック収容部３９８に結合する。したがって、第１ドア３８の回転時に、第２ドア３９が第１ドア３８から分離されることが防止される。
【０１４６】
以下では、第２ドア３９のみを回転させる時、第１ドア３８がキャビネット１から分離されることを防止する第１ドアホルダー４７の構造について説明する。
【０１４７】
図２７に示されたように、第１ドアホルダー４７は、キャビネット１に固定される第１ホルダー収容部４７１と、第１ホルダー収容部４７１の内部で往復運動し、第１ドア３８をキャビネット１に固定させる第１ホルダー４７３と、第１ホルダー収容部４７１の内部に位置して第１ホルダー４７３を弾性支持する第１ホルダー支持部４７５と、第２ドア３９に備えられて、第１ホルダー４７３を加圧する加圧部４７６と、を含む。
【０１４８】
第１ドア３８には、第１ホルダー４７３のフック４７３３が収容されるフック収容空間３８１１と、フック収容空間を第１ドア３８の外部と連通させる加圧部貫通孔３８１３及びフック貫通孔３８３１とを含む。フック収容空間３８１１は第１ドアフレーム３８１の内部に位置し、加圧部貫通孔３８１３は第１ドアフレーム３８１を貫通し、フック貫通孔３８３１は第１ドアカバー３８３を貫通することができる。
【０１４９】
一方、第１ホルダー収容部４７１は、キャビネット１に固定されるホルダー収容部ボディー４７１３と、ホルダー収容部ボディー４７１３の内部に備えられる収容空間４７１１と、収容空間４７１１をホルダー収容部ボディーの外部と連通させる収容部貫通孔４７１２と、を含む。収容部貫通孔４７１２は、第１ドアカバー３８３に備えられたフック貫通孔３８３１に対応する位置に備えることが好ましい。
【０１５０】
図２７に示されたように、ホルダー収容部ボディー４７１３は、外部に露出されないように、キャビネット１の内部に固定されることが好ましいが、キャビネット１の表面に固定されて外部に露出するように備えてもよい。
【０１５１】
ホルダー収容部ボディー４７１３がキャビネット１の内部に固定される場合、キャビネット１には、収容部貫通孔４７１２とフック貫通孔３８３１とを連通させる第１ホルダー貫通孔１５を備えることが好ましい。
【０１５２】
第１ホルダー４７３は、第１ホルダー収容部４７１に備えられた収容空間４７１１の内部に位置する第１ホルダーボディー４７３１と、第１ホルダーボディー４７３１に備えられるフック４７３３と、を含む。フック４７３３は、収容部貫通孔４７１２を通じて第１ホルダー収容部４７１の外部に露出され、第１ホルダー貫通孔１５及びフック貫通孔３８３１を通じてフック収容空間３８１１に位置するようになる。
【０１５３】
この場合、第１ホルダー支持部４７５は、収容空間４７１１の内部に位置して、第１ホルダーボディー４７３１を弾性支持するようになる。
【０１５４】
一方、加圧部４７６は、第２ドア３９に備えられ、第１ドア３８に向かって突出するように備えられる。第２ドア３９が投入口１１を閉鎖させた場合（第２ドアが第１ドアに固定された場合）、加圧部４７６は、加圧部貫通孔３８１３を通じてフック収容空間３８１１の内部に位置するようになる。加圧部４７６がフック収容空間３８１１に挿入されると、第１ホルダー４７３のフック４７３３は加圧部４７６によって加圧されるので、第１ホルダー４７３は第１ドア３８から分離される方向に移動するようになる。
【０１５５】
加圧部４７６とフック４７３３との結合を容易にするために、加圧部４７６とフック４７３３のうち少なくとも一方は傾斜面を含むことが好ましい。
【０１５６】
一方、加圧部４７６とフック４７３３が結合して、第１ホルダー４７３がキャビネット１の上部に向かって移動しても、フック４７３３がフック収容空間３８１１から完全に分離されないことが好ましい。そのために、第１ドアカバー３８３には折曲部３８３３をさらに備えることができる。折曲部３８３３は、フック貫通孔３８３１からフック収容空間３８１１に向かって折れ曲がるように備えることができ、フック７３３が加圧部４７６によって移動しても、フック７３３と接触を維持することができる位置に備えることが好ましい。
【０１５７】
但し、折曲部３８３３とフック７３３とが堅固に接触する場合、第１ドア３８を回転させようとする時、折曲部３８３３によって第１ドア３８を回転させることが難しいという問題が生じうる。したがって、第１ドア３８が回転する時、フック４７３３が折曲部３８３３から容易に分離され得るように、フック４７３３には傾斜面をさらに備えることができる。
【０１５８】
したがって、第２ドア３９に外力が入力されて第２ドア３９が回転すると、第２ドア３９に備えられた加圧部４７６がフック収容空間３８１１から引き出されるので、フック４７３３は加圧部４７６から分離される。フック４７３３が加圧部４７６から分離されると、バネとして備えられる第１ホルダー支持部４７５によって、第１ホルダーボディー４７３１は収容空間４７１１の下部方向に移動するようになる。
【０１５９】
第１ホルダーボディー４７３１が収容空間４７１１の下部方向に移動すると、フック４７３３は、フック収容空間３８１１の下部方向に移動して折曲部３８３３と堅固に結合されるので、第２ドア３９の回転時、第１ドア３８がキャビネット１から分離されることを防止できるようになる。
【０１６０】
図２８は、第１ドアホルダー４７の他の実施例を示す。本実施例に係る第１ドアホルダー４７は、キャビネット１に備えられるフック４７７と、第１ドアハンドル３８７の内部に回転可能に備えられて、フック４７７が着脱されるロック部材４７８と、ロック部材４７８の回転を弾性支持するロック部材弾性支持部４７９と、を含む。第１ドア３８には、フック４７７が貫通するフック貫通孔３８３１が備えられ、ロック部材４７８には、フック４７７が収容されるフック収容孔４７８１が備えられる。
【０１６１】
したがって、第１ドア３８が投入口１１を閉鎖した状態で、使用者が第１ドア３８に回転可能に備えられた第２ドア３９を回転させても、上述した第１ドアホルダー４７によって第１ドア３８がキャビネット１から分離されることが防止される。
【０１６２】
一方、ロック部材４７８を加圧して、第１ドアハンドル３８７の内部でロック部材４７８を回転させると、フック４７７がフック収容孔４７８１から分離されるので、第１ドア３８の回転が可能になる。
【図１】
0005731676.tif 000002
【図２】
0005731676.tif 000003
【図３】
0005731676.tif 000004
【図４】
0005731676.tif 000005
【図５】
0005731676.tif 000006
【図６】
0005731676.tif 000007
【図７】
0005731676.tif 000008
【図８】
0005731676.tif 000009
【図９】
0005731676.tif 000010
【図１０（ａ）】
0005731676.tif 000011
【図１０（ｂ）】
0005731676.tif 000012
【図１１】
0005731676.tif 000013
【図１２】
0005731676.tif 000014
【図１３】
0005731676.tif 000015
【図１４（ａ）】
0005731676.tif 000016
【図１４（ｂ）】
0005731676.tif 000017
【図１４（ｃ）】
0005731676.tif 000018
【図１５（ａ）】
0005731676.tif 000019
【図１５（ｂ）】
0005731676.tif 000020
【図１６】
0005731676.tif 000021
【図１７】
0005731676.tif 000022
【図１８】
0005731676.tif 000023
【図１９】
0005731676.tif 000024
【図２０（ａ）】
0005731676.tif 000025
【図２０（ｂ）】
0005731676.tif 000026
【図２０（ｃ）】
0005731676.tif 000027
【図２１】
0005731676.tif 000028
【図２２】
0005731676.tif 000029
【図２３】
0005731676.tif 000030
【図２４】
0005731676.tif 000031
【図２５】
0005731676.tif 000032
【図２６】
0005731676.tif 000033
【図２７】
0005731676.tif 000034
【図２８】
0005731676.tif 000035